(57)【要約】【課題】回旋方向及び高さ方向の滑り止め機能を有し、意匠性に優れたキャップを提供することを目的とする。【解決手段】上筒部１２と、上筒部１２の一方の開口端を塞ぐ天蓋部１４と、を有し、上筒部１２の外周壁２０の把持部２０ａに、天蓋部１４側から見て時計回り方向に下るように傾斜した第１の稜線２２と、天蓋部１４側から見て反時計回り方向に下るように傾斜した第２の稜線２４と、外周壁２０の周方向に延びる第３の稜線２６とが形成され、外周壁２０に、第１の稜線２２、第２の稜線２４、及び第３の稜線２６によって囲まれた第１の三角面３２、第２の三角面３４及び六角面３６が形成されている、キャップ１。【選択図】図１
2019142535.tif 000002
【特許請求の範囲】
【請求項１】
筒状部と、前記筒状部の一方の開口端を塞ぐ天蓋部と、を有し、
前記筒状部の外周壁の把持部に、前記天蓋部側から見て時計回り方向に下るように傾斜した第１の稜線と、前記天蓋部側から見て反時計回り方向に下るように傾斜した第２の稜線と、前記外周壁の周方向に延びる第３の稜線又は谷線とが形成され、
前記外周壁に、前記第１の稜線、前記第２の稜線、及び、前記第３の稜線又は谷線によって囲まれた複数の多角面が形成されている、キャップ。
【請求項２】
前記第１の稜線と前記第２の稜線とが交差している、請求項１に記載のキャップ。
【請求項３】
前記第１の稜線と前記第２の稜線とが、前記外周壁の前記第３の稜線又は谷線以外の部分で交差している、請求項２に記載のキャップ。
【発明の詳細な説明】
【技術分野】
【０００１】
本発明は、キャップに関する。
【背景技術】
【０００２】
液状物（液体洗剤、液体漂白剤、液体柔軟剤、溶剤等）、粉粒物（粒状洗剤、粒状漂白剤、粒状調味料等）等の内容物を収納する容器には、容器本体の口部に回旋により着脱可能に螺着されるキャップが設けられている。キャップを回旋により容器本体から着脱する際には手指が滑ることがある。特に衣類用液体洗剤等に用いられている計量キャップは略回転体形状のものが多く、また濡れた手で使用する場面が多いため、キャップを着脱する際に手指が滑りやすい。
【０００３】
回旋方向の滑り止め機能を有するキャップとして、キャップの筒状部の外周壁に、天蓋部側から見て時計回りの方向に下るように傾斜した第１の稜線と、反時計回りの方向に下るように傾斜した第２の稜線とが形成されたキャップが提案されている（特許文献１、２）。前記キャップの外周壁には、これらの稜線によって複数の多角面が形成される。
【先行技術文献】
【特許文献】
【０００４】
【特許文献１】特開２０１５−１５１１３２号公報
【特許文献２】特開２０１５−１２８９９８号公報
【発明の概要】
【発明が解決しようとする課題】
【０００５】
しかし、特許文献１、２のような従来のキャップでは、容器本体の口部からキャップを上方に抜き取る際に手指が滑るおそれがある。特に計量キャップは金型からの抜きを考慮してキャップ天面に向かってやや縮径された形状のものが多く、キャップの高さ方向に対する滑り止め機能も重要である。
また、商品性を高める目的から、キャップの意匠性をさらに高めることも重要である。
【０００６】
本発明は、回旋方向及び高さ方向の滑り止め機能を有し、意匠性に優れたキャップを提供することを目的とする。
【課題を解決するための手段】
【０００７】
本発明は、以下の構成を有する。
［１］筒状部と、前記筒状部の一方の開口端を塞ぐ天蓋部と、を有し、
前記筒状部の外周壁の把持部に、前記天蓋部側から見て時計回り方向に下るように傾斜した第１の稜線と、前記天蓋部側から見て反時計回り方向に下るように傾斜した第２の稜線と、前記外周壁の周方向に延びる第３の稜線又は谷線とが形成され、
前記外周壁に、前記第１の稜線、前記第２の稜線、及び、前記第３の稜線又は谷線によって囲まれた複数の多角面が形成されている、キャップ。
［２］前記第１の稜線と前記第２の稜線とが交差している、［１］に記載のキャップ。
［３］前記第１の稜線と前記第２の稜線とが、前記外周壁の前記第３の稜線又は谷線以外の部分で交差している、［２］に記載のキャップ。
【発明の効果】
【０００８】
本発明のキャップは、回旋方向及び高さ方向の滑り止め機能を有し、意匠性に優れている。
【図面の簡単な説明】
【０００９】
【図１】本発明の第１の実施形態のキャップを示す斜視図である。
【図２】図１のキャップの平面図である。
【図３】図１のキャップの正面図である。
【図４】本発明の第２の実施形態のキャップを示す斜視図である。
【図５】図４のキャップの平面図である。
【図６】図４のキャップの正面図である。
【図７】本発明の第３の実施形態のキャップを示す斜視図である。
【図８】図７のキャップの平面図である。
【図９】図７のキャップの正面図である。
【発明を実施するための形態】
【００１０】
以下の用語の定義は、本明細書及び特許請求の範囲にわたって適用される。
「透明」とは、可視光を透過することを意味する。よって、可視光を透過する点では、「半透明」は、透明に包含される。
「多角面」とは、３つ以上の角を有する面を意味する。多角面の辺は、直線に限定されず、湾曲していてもよい。筒状部の外周壁に配置された複数の多角面の形状、サイズ等は、すべて同じであってもよく、一部又は全部で異なっていてもよい。
「稜線」とは、隣り合う多角面が交わってできる山の頂部の連なりの線分を意味する。「谷線」とは、隣り合う多角面が交わってできる谷の底部の連なりの線分を意味する。ここで「交わる」とは、隣り合う多角面が出会って少なくとも１つの辺を共有することを意味する。稜線及び谷線は、直線に限定されず、屈折又は湾曲していてもよい。
「第１の稜線」とは、天蓋部側から見て時計回りの方向に下るように傾斜した、すなわち筒状部の側方から見て左下がりに傾斜した稜線である。筒状部の外周壁に複数の第１の稜線が形成されている場合、筒状部の軸線方向に対する第１の稜線の傾斜角は、すべて同じであってもよく、一部又は全部で異なっていてもよい。
「第２の稜線」とは、天蓋部側から見て反時計回りの方向に下るように傾斜した、すなわち筒状部の側方から見て右下がりに傾斜した稜線である。筒状部の外周壁に複数の第２の稜線が形成されている場合、筒状部の軸線方向に対する第２の稜線の傾斜角は、すべて同じであってもよく、一部又は全部で異なっていてもよい。
「第３の稜線又は谷線」とは、外周壁の把持部に周方向に延びる稜線又は谷線である。第３の稜線又は谷線は、筒状部の軸線方向を鉛直方向と一致させたときの水平方向に対して、傾斜していてもよい。筒状部の外周壁の把持部に複数の第３の稜線又は谷線が形成されている場合、水平方向に対する第３の稜線又は谷線の傾斜角は、すべて同じであってもよく、一部又は全部で異なっていてもよい。
「把持部」とは、筒状部の外周壁における手指で把持される部分であって、筒状部の軸線方向における、外周壁の下端から、筒状部の高さに対して９５％までの領域を意味する。上筒部、下筒部、及び上筒部の下端から外方に張り出すフランジ部を有する計量キャップの場合の「把持部」は、上筒部の軸線方向における、上筒部の外周壁の下端から、筒状部の高さに対して９５％までの領域とする。
「縮径部」とは、筒状部において天蓋部に接続する部分であって、天蓋部に向かうにしたがって外径が小さくされることによって、縮径部以外の筒状部本体に比べ、外周壁が筒状部の軸線方向に対して傾斜している部分を意味する。縮径部以外の筒状部本体は、縮径部に比べて小さい傾斜角で、外周壁が筒状部の軸線方向に対して傾斜していてもよい。
【００１１】
（第１の実施形態）
図１は、本発明のキャップの第１の実施形態を示す斜視図である。図２は、第１の実施形態のキャップの平面図である。図３は、第１の実施形態のキャップの正面図である。
なお、以下の説明において例示される図の寸法等は一例であって、本発明はそれらに必ずしも限定されるものではなく、その要旨を変更しない範囲で適宜変更して実施することが可能である。
【００１２】
キャップ１は、容器（図示略）の計量キャップとして用いられるものである。
キャップ１は、キャップ本体１０と、キャップ本体１０の外壁面から外方に延設された螺合部４０とが一体成形されたものである。
キャップ本体１０の外径は、特に限定されず、例えば、２〜５ｃｍとされる。
螺合部４０の外径は、特に限定されず、例えば、３〜７ｃｍとされる。
【００１３】
キャップ本体１０は、円筒状の上筒部１２（筒状部）と、上筒部１２の一方の開口端を塞ぐ、上面側から見て多角面の天蓋部１４と、上筒部１２の他方の開口端から上筒部１２の軸線方向に延設された円筒状の下筒部１６とを有する有蓋筒状のものである。
【００１４】
上筒部１２は、上筒部本体１２ａと、天蓋部１４に接続する縮径部１２ｂとから構成される。縮径部１２ｂは、天蓋部１４に向かうにしたがって外径が小さくされることによって、上筒部本体１２ａに比べ、外周壁２０が上筒部１２の軸線方向に対して傾斜している。上筒部本体１２ａは、天蓋部１４に向かうにしたがって外径が小さくなるように、縮径部１２ｂに比べて小さい傾斜角で、外周壁２０が上筒部１２の軸線方向に対してわずかに傾斜している。
【００１５】
上筒部１２の外周壁２０の把持部２０ａには、複数の第１の稜線２２と、複数の第２の稜線２４と、複数の第３の稜線２６が形成されている。把持部２０ａは、上筒部１２の軸線方向における、外周壁２０の下端から、上筒部１２の高さＨに対して９５％までの領域である。
【００１６】
第１の稜線２２は、天蓋部１４側から見て時計回りの方向に下るように上筒部１２の軸線方向に対して傾斜している。第２の稜線２４は、天蓋部１４側から見て反時計回り方向に下るように上筒部１２の軸線方向に対して傾斜している。第１の稜線２２及び第２の稜線２４は、上筒部１２の外周壁２０の上端から下端まで形成されている。
第３の稜線２６は、外周壁２０の把持部２０ａに周方向に延びるように閉じて形成されている。
上筒部１２の外周壁２０には、上筒部本体１２ａと縮径部１２ｂとの境界線に沿って周方向に延びる第４の稜線２８も形成されている。
【００１７】
第１の稜線２２と第２の稜線２４とは、上筒部１２の上端及び下端のそれぞれにおいて周方向に交互に位置するように形成されている。各々の第１の稜線２２は、複数の第２の稜線２４と交差している。各々の第２の稜線２４は、複数の第１の稜線２２と交差している。また、第１の稜線２２と第２の稜線２４は、それぞれ第３の稜線２６及び第４の稜線２８と交差している。
【００１８】
この例の第１の稜線２２と第２の稜線２４とは、外周壁２０の第３の稜線２６及び第４の稜線２８以外の部分で交差している。すなわち、第１の稜線２２及び第２の稜線２４と第３の稜線２６とは、第１の稜線２２と第２の稜線２４との交点以外の部分で交差している。また、第１の稜線２２及び第２の稜線２４と第４の稜線２８とは、第１の稜線２２と第２の稜線２４との交点以外の部分で交差している。
【００１９】
第１の稜線２２は、第３の稜線２６及び第４の稜線２８と交差しているため、第３の稜線２６及び第４の稜線２８との交点で屈折しながら下るように傾斜している。同様に、第２の稜線２４は、第３の稜線２６及び第４の稜線２８と交差しているため、第３の稜線２６及び第４の稜線２８との交点で屈折しながら下るように傾斜している。
第３の稜線２６及び第４の稜線２８は、天蓋部１４側から見て第１の稜線２２及び第２の稜線２４との交点で屈折しながら周方向に延びている。
【００２０】
キャップ１では、上筒部１２の外周壁２０の把持部２０ａに、天蓋部１４側から見て時計回り又は反時計回りの方向に下るように傾斜した第１の稜線２２及び第２の稜線２４が形成されているため、キャップ１の着脱時にキャップ１の回旋方向における手指の滑りが抑制される。また、外周壁２０の把持部２０ａに、第１の稜線２２及び第２の稜線２４に加えて、周方向に延びる第３の稜線２６が形成されているため、キャップ１の着脱時にキャップ１の高さ方向（筒状部の軸線方向）における手指の滑りが抑制される。
【００２１】
本発明において、外周壁の把持部に形成する第１の稜線の数は、６〜３６本が好ましく、８〜１８本がより好ましく、９〜１５本がさらに好ましい。第１の稜線の数が前記範囲の下限値以上であれば、キャップ１の回旋方向における滑り止め効果がより高くなる。第１の稜線の数が前記範囲の上限値以下であれば、キャップ１を把持した際に指に痛みを感じさせない効果がより高くなる。
【００２２】
本発明において、外周壁の把持部に形成する第２の稜線の数は、６〜３６本が好ましく、８〜１８本がより好ましく、９〜１５本がさらに好ましい。第２の稜線の数が前記範囲の下限値以上であれば、キャップ１の回旋方向における滑り止め効果がより高くなる。第２の稜線の数が前記範囲の上限値以下であれば、キャップ１を把持した際に指に痛みを感じさせない効果がより高くなる。
第１の稜線２２と第２の稜線２４の数は、同じであっても、異なっていてもよいが、滑り止め効果及び美麗化効果がより高い点から、同じであることが好ましい。
【００２３】
第１の稜線２２の上筒部１２の軸線方向に対する傾斜角θ１は、５〜３０°が好ましく、７〜２５°がより好ましく、１０〜２０°がさらに好ましい。傾斜角θ１が前記範囲の下限値以上であれば、キャップ１の高さ方向における滑り止め効果がより高くなる。傾斜角θ１が前記範囲の上限値以下であれば、キャップ１の回旋方向における滑り止め効果がより高くなる。
【００２４】
第２の稜線２４の上筒部１２の軸線方向に対する傾斜角θ２は、傾斜角θ１と同様の理由から、５〜３０°が好ましく、７〜２５°がより好ましく、１０〜２０°がさらに好ましい。
傾斜角θ１と傾斜角θ２は、同じであってもよく、異なっていてもよいが、滑り止め効果及び美麗化効果がより高い点から、同じであることが好ましい。
【００２５】
この例の複数の第１の稜線２２は、外周壁２０の周方向において等間隔に形成されている。同様に、複数の第２の稜線２４も、外周壁２０の周方向において等間隔に形成されている。
なお、本発明において、第１の稜線及び第２の稜線はそれぞれ、等間隔に形成されていなくてもよい。本発明では、滑り止め効果及び美麗化効果がより高い点から、複数の第１の稜線及び第２の稜線は、それぞれ等間隔に形成されていることが好ましい。
【００２６】
本発明のキャップにおける第１の稜線及び第２の稜線は、キャップを把持した瞬間に必ず手指が第１の稜線や第２の稜線に引っ掛かるように形成しなくてもよい。キャップを把持した瞬間には手指が第１の稜線や第２の稜線に引っ掛かっていない場合も、キャップを回旋する際に僅かに滑った手指が第１の稜線や第２の稜線に引っ掛かることで、手指がそれ以上回旋方向に滑ることが抑制される。キャップの回旋方向の手指の滑りを最小限に抑えられる点、及び美麗化効果がより高い点では、第１の稜線及び第２の稜線は、前記した範囲の本数で、かつ等間隔に形成されていることがより好ましい。
【００２７】
第３の稜線２６は、外周壁２０の周方向において全周にわたって形成され、閉じた環状になっている。本発明では、高さ方向の滑り止め効果及び美麗化効果がより高い点から、筒状部の外周壁の周方向に全周にわたって、第３の稜線が環状に閉じて形成されていることが好ましい。
【００２８】
第３の稜線２６は、この例では２本であるが、２本には限定されず、１本であってもよく、３本以上であってもよい。
本発明において、外周壁の把持部に形成する第３の稜線の数は、１〜６本が好ましく、２〜５本がより好ましく、３〜４本がさらに好ましい。第３の稜線の数が前記範囲の下限値以上であれば、キャップ１の高さ方向における滑り止め効果がより高くなる。第３の稜線の数が前記範囲の上限値以下であれば、キャップ１を把持した際に指に痛みを感じさせない効果がより高くなる。
【００２９】
第３の稜線の水平方向に対する傾斜角θ３は、３０°以下が好ましく、２０°以下がより好ましく、１０°以下がさらに好ましく、０°が特に好ましい。傾斜角θ３が上限値以下であれば、キャップ１の高さ方向における滑り止め効果及び美麗化効果がより高くなる。
【００３０】
本実施形態のように、キャップ１が後述するフランジ部４２を有する場合、最もフランジ部４２に近い第３の稜線２６とフランジ部４２との距離Ｄは、５ｍｍ以上が好ましく、７ｍｍ以上がより好ましく、１０ｍｍ以上がさらに好ましい。距離Ｄが下限値以上であれば、外周壁の把持部を手指で把持した際に手指が第３の稜線に引っ掛かりやすく、高さ方向における滑り止め効果が得られやすい。
距離Ｄの上限値は、筒状部の高さＨ（把持部の高さ）に応じて適宜設定すればよい。
【００３１】
この例の複数の第３の稜線２６は、高さ方向において等間隔に形成されている。
なお、本発明において、第３の稜線は、等間隔に形成されていなくてもよい。本発明では、滑り止め効果及び美麗化効果がより高い点から、複数の第３の稜線が等間隔に形成されていることが好ましい。
【００３２】
本発明のキャップにおける第３の稜線は、キャップを把持した瞬間に必ず手指が第３の稜線に引っ掛かるように形成しなくてもよい。キャップを把持した瞬間には手指が第３の稜線に引っ掛かっていない場合も、キャップの着脱時において高さ方向に僅かに滑った手指が第３の稜線に引っ掛かることで、手指がそれ以上高さ方向に滑ることが抑制される。キャップの高さ方向の手指の滑りを最小限に抑えられる点、及び美麗化効果がより高い点では、第３の稜線は、前記した範囲の本数で、かつ等間隔に形成されていることがより好ましい。
【００３３】
本発明のキャップでは、第３の稜線の水平方向に対する傾斜角θ３を０°とし、さらに筒上部の高さ方向における第３の稜線の位置を、内容物を計量する位置に合わせることにより、第３の稜線を計量目盛として機能させることもできる。第３の稜線を計量目盛としても機能させる態様は、計量時に内容物の液面を視認しやすくなる点で有利である。
【００３４】
上筒部１２の外周壁２０には、第１の稜線２２、第２の稜線２４、第３の稜線２６及び第４の稜線２８によって囲まれた第１の三角面３２、第２の三角面３４、及び六角面３６がそれぞれ複数形成されている。外周壁２０にこのような複数の多角面が形成されていることで、外周壁２０の表面で光が複雑に屈折や乱反射を起こすため、高い美麗化効果が得られる。
【００３５】
第１の三角面３２は、天蓋部１４から離れるにしたがって上筒部１２の周方向の幅が広くなる三角形である。第２の三角面３４は、天蓋部１４から離れるにしたがって上筒部１２の周方向の幅が狭くなる三角形である。
六角面３６は、内方に向かって凹んだ凹面になっている。凹面は、内方に向かって凹んだ面であればよく、その凹形状は特に限定されない。
【００３６】
複数の第１の三角面３２及び第２の三角面３４の形状及びサイズは、同じであってもよく、異なっていてもよいが、美麗化効果がより高い点から、同じであることが好ましい。
複数の六角面３６の形状及びサイズは、同じであってもよく、異なっていてもよいが、美麗化効果がより高い点から、同じであることが好ましい。
【００３７】
本発明において、筒状部の外周壁に形成される多角面の数は、７２〜４３２が好ましく、９６〜２１６がより好ましく、１０８〜１８０がさらに好ましい。多角面の数が前記範囲の下限値以上であれば、キャップ１の回旋方向及び高さ方向における滑り止め効果がより高くなる。また、光の屈折や乱反射による美麗化効果がより高くなる。多角面の数が前記範囲の上限値以下であれば、キャップ１を把持した際に指に痛みを感じさせない効果がより高くなる。また、多角面一つ一つの大きさが形状を視認可能な適度な大きさとなり、より高い意匠性が得られる。
【００３８】
上筒部１２には、キャップ本体１０に収納した内容物の量を示す複数の目盛（図示略）が形成されている。各目盛は、天蓋部１４から下筒部１６に向かう距離を示す計量線と数字と容量を示す単位とからなる。目盛としては、例えば、レーザー印字、印刷（シルクスクリーン印刷、タンポ印刷等）によって形成された印字、又は凸条もしくは凹条等が挙げられる。
【００３９】
螺合部４０は、上筒部１２の下端から外方に張り出すフランジ部４２と、フランジ部４２の周縁から上筒部１２と反対側に上筒部１２の軸線方向に延設された、キャップ本体１０と同軸の外筒部４４とを有する。
【００４０】
外筒部４４の内周壁には、容器本体のネジ部と螺合するネジ部（図示略）が形成されている。
外筒部４４の外周壁には、上筒部１２の軸線方向に延びる複数の凸条が周方向に複数並んで形成されたローレット部４６、及び、ローレット部４６に隣接する、凸条が形成されていない平滑部４８が形成されている。
【００４１】
上筒部１２の外周壁２０における把持部２０ａを手指で把持し、軸線を中心にしてキャップ１を回旋させることで、螺合部４０の部分で容器本体（図示略）の口部に対してキャップ１を螺着又は螺脱できる。
内容物を計量する際は、キャップ１を容器本体から螺脱し、容器本体から内容物を注ぎ出し、注ぎ出した内容物を下筒部１６の開口端からキャップ本体１０内に注ぎ入れる。この際、目盛が形成された上筒部１２を手で塞がないように螺合部４０を把持することで、目盛と内容物とを照合できる。このとき、ローレット部４６に手指を当接させることで手指の滑りが抑制され、キャップ１を落下させることなく、内容物を計量できる。
【００４２】
キャップ１は、キャップ１内に注ぎ入れた内容物を視認しやすい点、及び光の屈折及び乱反射による美麗化効果が高い点から、少なくとも上筒部１２が透明であることが好ましく、全体が透明であることがより好ましい。なお、透明でなくても乱反射による美麗化効果は得られるため、キャップ１は、透明でなくてもよい。
【００４３】
キャップ１の材料としては、ポリオレフィン（ポリエチレン、ポリプロピレン等）、ポリエステル（ポリエチレンテレフタレート等）、ポリスチレン等が挙げられる。キャップ１の材料は、１種であってもよく、２種以上であってもよい。
キャップ１の製造方法は、特に限定されず、例えば、射出成形が挙げられる。
【００４４】
以上説明したように、キャップ１にあっては、上筒部１２の外周壁２０の把持部２０ａに第１の稜線２２、第２の稜線２４及び第３の稜線２６が形成され、それらによって複数の第１の三角面３２、第２の三角面３４、及び六角面３６が形成されている。そのため、キャップ１の着脱時における回旋方向及び高さ方向の滑り止め効果が得られるうえ、美麗化効果が高く意匠性に優れる。
【００４５】
（第２の実施形態）
本発明のキャップは、筒状部の外周壁の把持部において、第１の稜線と第２の稜線が交差し、かつ第１の稜線と第２の稜線の交点で第３の稜線又は谷線が第１の稜線及び第２の稜線に交差していてもよい。例えば、本発明のキャップは、図４〜６に例示したキャップ２であってもよい。
図４は、本発明のキャップの第２の実施形態を示す斜視図である。図５は、第２の実施形態のキャップの平面図である。図６は、第２の実施形態のキャップの正面図である。図４〜６における図１〜３と同じ部分には同符号を付して説明を省略する。
【００４６】
キャップ２は、キャップ本体１０Ａと、キャップ本体１０Ａの外壁面から外方に延設された螺合部４０とが一体成形されたものである。
【００４７】
キャップ本体１０Ａは、以下に示す点以外は、キャップ１におけるキャップ本体１０と同じ態様である。
キャップ本体１０Ａでは、第３の稜線２６の代わりに第３の谷線２６Ａが形成され、第３の谷線２６Ａ及び第４の稜線２８が、それぞれ第１の稜線２２及び第２の稜線２４の交点を通過するように第１の稜線２２及び第２の稜線２４に交差している。
第１の稜線２２と第２の稜線２４とは、上筒部１２の上端において周方向の位置が一致している。
【００４８】
第３の谷線２６Ａは、天蓋部１４側から見て第１の稜線２２及び第２の稜線２４との交点で屈折しながら周方向に延びている。
第３の谷線２６Ａの数、水平方向に対する傾斜角、フランジ部との距離等の好ましい態様は、キャップ１における第３の稜線２６の好ましい態様と同じである。
【００４９】
上筒部１２の外周壁２０には、第１の稜線２２、第２の稜線２４、第３の谷線２６Ａ及び第４の稜線２８によって囲まれた第１の三角面３２Ａ及び第２の三角面３４Ａがそれぞれ複数形成されている。
【００５０】
第１の三角面３２Ａは、天蓋部１４から離れるにしたがって上筒部１２の周方向の幅が広くなる三角形である。第２の三角面３４Ａは、天蓋部１４から離れるにしたがって上筒部１２の周方向の幅が狭くなる三角形である。
複数の第１の三角面３２Ａ及び第２の三角面３４Ａの形状及びサイズは、同じであってもよく、異なっていてもよいが、美麗化効果がより高い点から、同じであることが好ましい。
【００５１】
第３の谷線２６Ａの上下の第１の三角面３２Ａ及び第２の三角面３４Ａは、第３の谷線２６Ａに向かうにしたがって沈むような形状になっている。
この例では、第１の三角面３２Ａはほぼ上筒部１２の軸線方向に沿っており、第２の三角面３４Ａが上筒部１２の軸線方向に対して傾斜した状態になっている。これにより、キャップ２は、成形時の金型からの抜きが容易になっている。
【００５２】
キャップ２においても、キャップ１と同様に、上筒部１２の外周壁２０の把持部２０ａに、第１の稜線２２及び第２の稜線２４に加えて、周方向に延びる第３の谷線２６Ａが形成されているため、キャップ２の着脱時にキャップ２の回旋方向及び高さ方向における手指の滑りが抑制される。また、外周壁２０に複数の第１の三角面３２Ａ及び第２の三角面３４Ａが形成されているため、美麗化効果が高く、意匠性に優れる。
【００５３】
（第３の実施形態）
本発明のキャップは、筒状部の外周壁の把持部において、第１の稜線と第２の稜線が交差していなくてもよい。例えば、本発明のキャップは、図７〜９に例示したキャップ３であってもよい。
図７は、本発明のキャップの第３の実施形態を示す斜視図である。図８は、第３の実施形態のキャップの平面図である。図９は、第３の実施形態のキャップの正面図である。図７〜９における図１〜３と同じ部分には同符号を付して説明を省略する。
【００５４】
キャップ３は、キャップ本体１０Ｂと、キャップ本体１０Ｂの外壁面から外方に延設された螺合部４０とが一体成形されたものである。
【００５５】
キャップ本体１０Ｂは、以下に示す点以外は、キャップ１におけるキャップ本体１０と同じ態様である。
キャップ本体１０Ｂでは、第１の稜線２２と第２の稜線２４が互いに交差していない。第１の稜線２２及び第２の稜線２４は、上筒部１２の外周壁２０の周方向において、交互に形成されている。
【００５６】
上筒部１２の外周壁２０には、第１の稜線２２、第２の稜線２４、第３の稜線２６及び第４の稜線２８によって囲まれた、第１の台形面３８Ａと第２の台形面３８Ｂが形成されている。
第１の台形面３８Ａは、天蓋部１４から離れるにしたがって上筒部１２の周方向の幅が広くなっている。第２の台形面３８Ｂは、天蓋部１４から離れるにしたがって上筒部１２の周方向の幅が狭くなっている。
【００５７】
キャップ３においても、キャップ１と同様に、上筒部１２の外周壁２０の把持部２０ａに、第１の稜線２２及び第２の稜線２４に加えて、周方向に延びる第３の稜線２６が形成されているため、キャップ３の着脱時にキャップ３の回旋方向及び高さ方向における手指の滑りが抑制される。また、外周壁２０に複数の第１の台形面３８Ａ及び第２の台形面３８Ｂが形成されているため、美麗化効果が高く、意匠性に優れる。
【００５８】
本発明では、キャップ１、２のように、筒状部の外周壁の把持部において、第１の稜線と第２の稜線が交差していることが好ましい。これにより、より多くの稜線及び谷線を付与でき、筒状部の外周壁に形成できる多角面の数がより多くなることで、滑り止め効果及び美麗化効果がより高くなる。
また、本発明では、稜線及び谷線の合計数が同じ場合でも外周壁に形成できる多角面の数が多く、複雑な模様を形成でき、美麗化効果がより高くなる点で、第１の稜線と第２の稜線とが、外周壁の第３の稜線又は谷線以外の部分で交差している態様が好ましい。すなわち、美麗化効果がより高い点では、第２の実施形態のキャップ２に比べて第１の実施形態のキャップ１の方が好ましい。
【００５９】
成形時の金型からの抜きが容易な点では、第１の実施形態のキャップ１に比べて第２の実施形態のキャップ２の方が好ましい。
本発明では、筒状部の外周壁に形成される多角面の軸線方向の上端と筒状部の軸線との距離が、多角面の軸線方向の下端と筒状部の軸線との距離と同等か、それよりも小さいことが好ましい。これにより、成形時の金型からの抜きが容易になる。
【００６０】
（他の実施形態）
なお、本発明のキャップは、筒状部の外周壁の把持部に第１の稜線、第２の稜線及び第３の稜線又は谷線が形成され、それらによって外周壁に複数の多角面が形成されたものであればよく、図示例のキャップ１〜３には限定されない。
【００６１】
本発明のキャップは、図示例のようなキャップ本体と螺合部とからなる二重筒構造のものに限定されず、筒状部の開口端近傍の内周壁にネジ部を設けた単筒構造のものであってもよい。二重筒構造の場合、外筒部の外周壁にローレット部が形成されていなくてもよい。
本発明のキャップは、容器本体の口部に着脱可能に取り付けられキャップであればよく、計量キャップに限定されない。
本発明のキャップは、縮径部を有するものに限定はされず、縮径部を有しなくてもよい。
【００６２】
天蓋部は、図示例のような平面形状に限定はされず、軸線方向に漸次縮径する半球形状であってもよい。
筒状部の外周壁に形成される多角面は、三角面、台形面及び六角面には限定されず、ひし形面、平行四辺形面、五角面等であってもよい。
複数の多角面の形状、サイズ等は、すべて同じであってもよく、一部又は全部で異なっていてもよい。
第１の稜線と第２の稜線は、筒状部の周方向に交互に形成されているものに限定はされず、第１の稜線又は第２の稜線の一部が並んで形成されたものであってもよく、筒状部の周方向に直交する方向に延びる稜線が途中に形成されたものであってもよい。
第３の稜線又は谷線は、本発明の効果を損なわない範囲であれば、外周壁の周方向において、一部が途切れた開いた形状になっていてもよい。
【符号の説明】
【００６３】
１〜３…キャップ、１０，１０Ａ，１０Ｂ…キャップ本体、１２…上筒部（筒状部）、１４…天蓋部、１６…下筒部、２０…外周壁、２０ａ…把持部、２２…第１の稜線、２４…第２の稜線、２６…第３の稜線、２６Ａ…第３の谷線、２８…第４の稜線、３２，３２Ａ…第１の三角面、３４，３４Ａ…第２の三角面、３６…六角面、３８Ａ…第１の台形面、３８Ｂ…第２の台形面、４０…螺合部。
【図１】
2019142535.tif 000003
【図２】
2019142535.tif 000004
【図３】
2019142535.tif 000005
【図４】
2019142535.tif 000006
【図５】
2019142535.tif 000007
【図６】
2019142535.tif 000008
【図７】
2019142535.tif 000009
【図８】
2019142535.tif 000010
【図９】
2019142535.tif 000011